(57)【要約】【課題】セットトップボックスのためのユーザインタフェースを提供することである。【解決手段】制御方法は、セットトップボックスがタッチ検知スクリーンから座標を受信することからなる。座標は、セットトップボックスを制御するため解釈され、解釈された座標に従ってアクションが実行される。さらなる制御方法は、セットトップボックスが移動を表す信号を受信することからなる。制御機能は、移動を表す信号から決定され、制御機能が起動される。制御機能に従って、通信用の信号が生成される。【選択図】図１
2015122813.tif 000002
【特許請求の範囲】
【請求項１】
レシーバの制御方法であって、
前記レシーバを介して、リモート配置されたタッチセンサ方式スクリーンから座標を取得するステップと、
前記レシーバを介して、前記レシーバを制御するために、前記座標を解釈するステップと、
前記レシーバを介して、前記解釈された座標に応じてカーソル位置を形成するステップと、
前記レシーバを介して、前記カーソルに応じた第１の機能を起動するステップと、
前記レシーバを介して、前記起動された第１の機能を前記タッチセンサ方式スクリーンに送信するステップと、
前記レシーバを介して、前記タッチセンサ方式スクリーンの動きに応じて信号を受け取る、前記動きはそれぞれ関連する加速度値を有する、ステップと、
前記レシーバを介して、第１の加速度値を、ディスプレイ機能と関連するものとして解釈するステップと、
前記レシーバを介して、前記第１の加速度値とは異なる第２の加速度値を、非ディスプレイ機能と関連するものとして解釈するステップと、
前記レシーバを介して、受け取った加速度値に基づいて、前記ディスプレイ機能のうちの１つ、または前記非ディスプレイ機能のうちの１つを選択的にイネーブルするステップとを有し、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、第１のディスプレイ構成で前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は第１のサイズ比とは異なる、第２の第１のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
方法。
【請求項２】
前記形成するステップは、前記座標が所定の座標値範囲を占めるのに応じて前記カーソル位置を選択するステップを追加的に有する、請求項１に記載の方法。
【請求項３】
前記形成するステップは、前記カーソル位置に応じて機能を選択するステップを追加的に有する、請求項１に記載の方法。
【請求項４】
装置と関連するタッチセンサ方式スクリーンの動きに応じて信号を受け取る、前記動きはそれぞれ関連する加速度値を有する、入力部と、
第１の加速度値をディスプレイ機能と関連するものとして解釈し、前記第１の加速度値とは異なる第２の加速度値を非ディスプレイ機能と関連するものとして解釈するプロセッサとを有し、前記ディスプレイ機能のうちの１つまたは前記非ディスプレイ機能のうちの１つは受け取られた加速度値に基づき実行され、
前記ディスプレイ機能は、前記タッチセンサ方式スクリーンが第１の方向で配置されている時、前記タッチセンサ方式スクリーンが電子番組ガイド無しにビデオ部分を表示することを含み、
前記第１の方向から第１の向きの前記タッチセンサ方式スクリーンの第１の動きにより、前記タッチセンサ方式スクリーンが、第１のディスプレイ構成で前記ビデオ部分とともに前記電子番組ガイドを表示し、
前記第１の方向からの、前記第１の向きとは異なる第２の向きの前記タッチセンサ方式スクリーンの第２の動きにより、前記タッチセンサ方式スクリーンが、前記電子番組ガイドと前記ビデオ部分が互いに第２のサイズ比を有する、前記第２のサイズ比は第１のサイズ比とは異なる、第２の第１のディスプレイ構成で前記ビデオ部分とともに前記電子番組ガイドを表示し、
前記電子番組ガイドは、前記ビデオ部分に表示する番組選択を可能とする複数のユーザ選択可能領域を含む、前記ユーザ選択可能領域のサイズは前記第１と第２のディスプレイ構成において異なる、
装置。
【請求項５】
前記解釈するステップは、ルックアップテーブルを用いて、前記受け取られた信号に応じた制御コマンドを特定するステップを有する、請求項４に記載の装置。
【請求項６】
前記解釈するステップは、
前記受け取られた信号に応じて、前記タッチセンサ方式スクリーンの第１と第２の向きの変位を特定するステップと、
前記特定された第１と第２の向きの変位に応じて、それぞれ第１と第２の制御機能を起動するステップとを追加的に有する、
請求項４に記載の装置。
【発明の詳細な説明】
【技術分野】
【０００１】
本出願は、２００７年９月１８日に出願された米国仮出願の利益を請求する。
【０００２】
本開示は、家庭用娯楽機器の遠隔制御の分野に関し、特に動き検知及び／又はタッチ検知ディスプレイ画面を含むリモートコントローラに関する。
【背景技術】
【０００３】
典型的なセットトップボックスは、セットトップボックスメニュー及び／又は電子番組ガイドの制御を可能にするユーザインタフェースを設ける。これらのメニュー及び電子番組ガイドは、それぞれセットトップボックス内にあり、又は受信、フォーマット化及び格納され、オンスクリーンディスプレイ（ＯＳＤ）又はグラフィックオーバレイとして視聴可能である。典型的には、ガイド又はメニュー機能は、物理的なボタンの押下又は変調ＩＲリンクなどを介した遠隔制御コマンドにより起動される。ガイド及びメニューは、テレビやビデオディスプレイモニタ上のオンスクリーンディスプレイを介したユーザインタラクションのためのものである。通常のディスプレイ視聴距離は、画面がユーザから物理的に離れており、おそらく手の届く範囲を超えていることを示す。リモートオーディオビデオディスプレイ、テレビ、ビデオモニタ又はビューイングタブレットは、セットトップボックスの出力信号を視聴するため接続されてもよく、ローカルビューワに提供されるような実質的に同じセットトップボックス制御が、リモートディスプレイ視聴者に利用可能でなければならないのは明らかである。
【発明の概要】
【発明が解決しようとする課題】
【０００４】
本発明の１つの課題は、セットトップボックスのためのユーザインタフェースを提供することである。
【課題を解決するための手段】
【０００５】
本発明の構成では、タッチ検知ビューイング装置は、セットトップボックスとの双方向通信を有する。タッチ検知ビューイング装置は、音声及び画像ディスプレイを実現し、セットトップボックス及び補助装置を制御するための情報を提供する。さらなる本発明の構成では、タッチ検知ビューイング装置の動き及び／又は空間向き変更が、セットトップボックス及び補助装置内の選択を制御可能である。
【発明の効果】
【０００６】
本発明によると、セットトップボックスのためのユーザインタフェースを提供することができる。
【図面の簡単な説明】
【０００７】
【図１】図１は、遠隔視聴及び制御のための本発明の構成のブロック図である。
【図２】図２は、図１の構成において使用される本発明の一例となるビューイングタブレットを示す。
【図３ａ】図３ａ及び３ｂは、図１及び２の構成に用いられる一例となるシーケンスである。
【図３ｂ】図３ａ及び３ｂは、図１及び２の構成に用いられる一例となるシーケンスである。
【図４】図４は、グリッドディスプレイとして構成される典型的な電子番組ガイドを示す。
【図５】図５は、図４の電子番組ガイドを示すデータ構造である。
【図６】図６ａ〜６ｄは、ツイスト、ティルト及び回転されたときの図２のビューイングタブレットを示す。
【発明を実施するための形態】
【０００８】
図１は、セットトップボックスがオーディオビデオ（Ａ／Ｖ）ディスプレイ装置に接続されている本発明の構成を示す。さらに、セットトップボックスのユーザインタフェースがまた、リモートＡ／Ｖディスプレイ、テレビ、ビデオモニタ又はビューイングタブレット３００の使用を実現する。明らかに、リモートビューイング装置３００は、ローカルビューワに設けられるものと実質的に同じセットトップボックスの制御を可能にする必要がある。外部のネットワークフィードが、ユーザの番組選択のためセットトップボックス（ＳＴＢ）１００に接続され、所望の番組のオーディオビデオ信号を生成するため、チューニング、復調、復号化などが行われる。オーディオビデオ信号のビデオ部分は、オーディオビデオディスプレイ１０に接続するための出力ビデオ信号１０１を生成するために追加又は代用されるオンスクリーンディスプレイ（ＯＳＤ）グラフィックオーバレイを有してもよい。ビデオ信号１０１は、コンポジットアナログ信号、アナログコンポーネント信号又はコンポジット若しくはコンポーネントビデオ信号のデジタル表現の形式であってもよい。オンスクリーンディスプレイ（ＯＳＤ）又はグラフィックオーバレイは、例えば、電子番組ガイド（ＥＰＧ）又はセットトップボックスメニューなどを表示することが可能である。
【０００９】
セットトップボックス（ＳＴＢ）１００はまた、セットトップボックス１００とオーディオビデオ（Ａ／Ｖ）インタフェースコンバータ２００との間で双方向データバス信号１１０を接続する独立した情報制御チャネル接続（１０４）を有する。効果的には、ディスプレイ１０に接続された出力オーディオビデオ信号はまた、おそらくグラフィックオーバレイと一緒に、ＭＰＥＧ４などの圧縮アルゴリズムなどを用いてデジタルＡ／Ｖストリームを生成するオーディオビデオインタフェースコンバータ２００に接続される。この圧縮されたデジタルＡ／Ｖストリームは、ＩＥＥＥ８０２．１１などの一例となる規格に従って動作する一例となるＷｉ−Ｆｉやデジタルワイヤレスリンク２２６を用いて、リモートビューイング装置３００へのアンテナ２２５による送信のため、処理又は変調される。ビューイング装置３００における又は内部のアンテナ３２５は、デジタルＡ／Ｖストリーム２２６を受信し、実質的にディスプレイ１０に提供される音声と共に画像を生成する。
【００１０】
しかしながら、上述されるように、番組ガイド及びセットトップボックスメニュー情報は、セットトップボックス内にあり、及び／又は生成され、物理的なボタンの押下又は遠隔制御コマンドにより起動される。ガイド及びメニューは、ＯＳＤ又はビデオディスプレイ上のグラフィカル画像を介したユーザインタラクションのためのものである。さらに、最適な視聴条件は、ディスプレイ１０のスクリーンをユーザから離して、おそらく手の届く範囲外に配置する最小視聴距離を示唆する。従って、ユーザのセットトップボックスのやりとりは、通常はスクリーン上の指紋の不快さに言及せず、ＳＴＢユーザインタラクションのスクリーンタッチ制御のコンセプトを排除しようとするディスプレイスクリーンから遠隔的に実行される。
【００１１】
図２は、ディスプレイ１０に接続されたものと同一のものとすることが可能であるか、又は効果的にはディスプレイ１０に接続されたコンテンツと異なるものとなるようユーザにより選択されてもよいコンテンツを有するデジタルＡ／Ｖストリームの受信を実現するリモートビューイング装置３００を示す。ビューイング装置３００は、ユーザがタッチによりスクリーン画像の一部を選択することを可能にするため、タッチ検知インタフェース３０２によりオーバレイされる画像ディスプレイ３０１を利用する。しかしながら、標準的なセットトップボックスのユーザインタフェースは、タッチスクリーン制御ができない。
【００１２】
ユーザビューイングディスプレイスクリーン３０１は、指やスタイラス３１０などにより、画像３０３の一部を形成するＯＳＤの選択などにより、特定のスクリーン部分を選択してもよい。知られているように、ビューイングタブレット３００のタッチ検知インタフェースは、タッチ検知エリア３０２内のスクリーンタッチを特定する座標３１５を生成する回路を含む。これらのタッチ座標は、アンテナ３２５を介してビューイングタブレット３００から、インタフェースコンバータ２００を介しＳＴＢ１１０のソケット１０４に送信される。双方向パス２０１，２２６は、スクリーン３０１上における画像３０３として視聴のためのＡ／Ｖコンテンツ１０１を提供し、さらにタッチ座標又は制御命令をＳＴＢ１００に接続するためのリバースチャネルを提供する。タッチ座標は、典型的にはＯＳＤ又はガイドグリッドである現在のスクリーンディスプレイの処理及びマッピングんぼため、ＳＴＢ１００に入力される。ビューイングタブレット３００のための画像マッピングは、ワイドスクリーン映画などを視聴するため、タブレット３００のアスペクト比やおそらくソース画像のアスペクト比などの特定のパラメータに基づき実行されてもよい。図６ａのタブレット３００は、現在のテレビ規格に係るものと同じ又は同様の幅と高さのスクリーン比、すなわち、１６：９を有してもよい。図６ａでは、ディスプレイタブレット３００は、１６：９の一例となる比により表示されるが、ユーザは、図６ｃ及び６ｄに示されるように、９：１６の比を生じさせる約９０度の回転によりディスプレイを物理的に異なって方向合わせするよう選択してもよい。さらに、ディスプレイタブレット３００は、回転、ツイスト、ターン又はティルトされてもよい物理的サイズを有してもよい。従って、回転されるディスプレイを収容し、表示された画像の幾何学的な歪みを回避するため、ディスプレイ３００上のソース画像マッピングのため各種選択が可能である。しかしながら、このようなソース画像のマッピングは、ディスプレイ１０に供給される信号１０１に対する障害なく実行される必要がある。このような画像マッピングの制御及び実現が、以下で説明される。
【００１３】
ディスプレイタブレット３００のリモートビューイングスペース３０１は、リモートビューイング装置からのタッチ座標がユーザにより所望されるセットトップボックスコマンドを発信するよう解釈されるために、ＳＴＢのユーザインタフェーススペースにマップされる。解釈されたコマンドは、例えば、ＯＳＤ情報の変更や番組選択の変更などを実行させるものであってもよく、その後にこの結果がディスプレイ１０とリモートディスプレイ３００の双方に通信される。さらに、ディスプレイタブレット３００の操作及び向きはまた、ＳＴＢユーザインタフェーススペースへのマッピングの必須部分を生成するだけでなく、さらに制御機能を提供するものであってもよい。上述されたように、タブレット３００を約９０度ツイスト又は回転することが、画像に関してだけでなく、特定のタッチスクリーンエリアの機能的なマッピングを変更することによりユーザ操作性を維持するため、可能とされる必要がある。例えば、図６ａの検知エリア３０２ａに係るユーザ機能は、ディスプレイ３００が約９０度時計回りに回転されると、検知エリア３０２ａａにマッピングされなければならない。
【００１４】
ディスプレイタブレット３００は、効果的には、図６ｂに示されるように、タブレットの向き及び／又は動きを検出するための装置を有する。例えば、向きを検出することによって、何れのディスプレイエッジ、ロング又はショートがほぼポイントダウンされているか決定することが可能であり、このような情報は、ティルトセンサ、傾斜計、加速度計、ジャイロスコープなどの装置により提供可能である。ディスプレイタブレットの位置又は向きの変化に関する情報は、ユーザの動き及び／又はタッチコマンドをマッピング又は解釈するのに利用されるように、インタフェースコンバータ２００及びセットトップボックス１００に通信される。ディスプレイの向きの検出は、効果的には、図６ｃに示されるようなリモートディスプレイ画像選択、チャネル変更、オーディオボリュームアップダウン又はミュートなどの機能制御を提供するのに利用されてもよい。ディスプレイの動きの検知は、他のユーザ制御機構を提供し、さらにこれは、スクリーンタッチ及び関連する制御マッピングの回数を減少又は排除することが可能である。
【００１５】
図２は、ディスプレイ３０１と、セットトップボックスにおいてユーザインタフェースを更新するのに用いられるタッチスクリーン３０２とを備えたビューイング装置又はタブレット３００を示す。タッチスクリーン３０２は、ボタン又はロッカスイッチ３２０によって、又は図６ａのスクリーンコーナー３０２ａなどの特定のスクリーン位置をタッチすることによって、起動されてもよい。スイッチ３２０は、所望されるＳＴＢ制御機能間の選択をするため、ダブルプッシュ、トゥ・アンド・フロロック（ｔｏ  ａｎｄ  ｆｒｏ  ｒｏｃｋ）、又は持続的な起動を可能にする。特定のスクリーン位置の使用は、ユーザが、ＳＴＢメニューや番組ガイドなどの何れのＳＴＢ機能を制御することを所望するか選択するのに利用されてもよい。さらに、ダブルスクリーンタッチ又は持続的なタッチは、二重の制御機能を提供するものであってもよい。例えば、ダブルタッチ構成によって、最初のスクリーンタッチは、リモートビューワにより制御されるオンスクリーン画像（ＯＳＤ）部分を決定する。２回目のタッチは、例えば、ダブルタッチコマンドとして認識されるため、特定の相対的に短時間のウィンドウ内で行われることが要求されてもよく、この２回目のタッチは、エンター、起動又はコマンド決定を表すものであってもよい。同様に、持続的なタッチ構成は、例えば、制御対象のオンスクリーン画像（ＯＳＤ）部分を決定し、延長されるが、相対的に短いタッチ時間に従うことは、エンター、起動又はコマンド決定を表すものであってもよい。ダブルタッチや持続的なタッチのユーザ制御に加えて、スクリーン３０２は、効果的には、所与のインターバルにおいて複数のスクリーン検知エリア又はセル上を指やスタイラスを単にドラッグすることによって、上下左右をスクロールする機能を提供するようにしてもよい。例えば、限定数のセル上の短いドラッグは、同様の時間インターバルにおけるより多数のセル上のドラッグがオンスクリーン画像にページを変更させる、すなわち、番組ガイドの以降のイベントにスクロールさせるオンスクリーン画像位置のわずかな変更を生じさせるものであってもよい。
【００１６】
上述されるように、ディスプレイタブレット３００は、ＳＴマイクロエレクトロニクスにより製造されるタイプｌ  ＬＩＳ３０２ＤＬなどの加速度計やタブレットの動き及び向きを検出する同様の装置を含むものであってもよい。タブレットの向き又は動き情報は、効果的には、制御コマンドを提供するため、また特定のタブレットの向きが回転されたディスプレイタブレット３００上に表示するためにビデオ信号１０１のみをリマップするために、インタフェース２００及びセットトップボックス１００に供給される。さらに、タッチ座標は、ディスプレイの向き及び選択されたディスプレイレイアウトに従ってリマップされてもよい。連続的な画像サイズ及びレイアウトの変更によりタブレット３００の向きは、ディスプレイ１０に供給されるビデオ表示信号１０１から独立して実現される必要がある。タブレット３００の向き変更により生じる画像サイズ及びレイアウトの変更を実現するため、オーディオビデオインタフェースコンバータ２００は、画像処理制御、画像スケーリング及びメモリを含むデジタル画像処理構成を含む。さらに、インタフェースコンバータ２００は、セットトップボックス１００から、電子番組ガイドとセットトップボックスメニューを表すデータを受信するようにしてもよい。これらのデータは、ビデオ表示信号１０１とは別々に提供され、合成されなくてもよい。このように、インタフェースコンバータ２００は、ディスプレイ１０上に画像を実現することなく、タブレット２００による表示のための画像信号をフォーマット化可能である。
【００１７】
図３ａは、リモートビューワ３００とセットトップボックス１００との間で行われる一例となるタッチスクリーン制御処理３５０〜３６５のシーケンスを示し、番組ガイドがセットトップボックス内で完全に生成され、リモートビューイング装置により視聴されるケースに適用される。ブロック３５０において、タッチスクリーンは、タッチが行われたことを検知する。スクリーンタッチの座標３１５は、セットトップボックス１００への信号１１０としての復調及び接続のため、一例となるデジタルワイヤレスリンク２２６によりコンバータ２００に決定、変調及び送信される。この座標は、メニューシステムのローカルな状態と現在位置とを含む状態マシーンが所望の位置と当該位置に到達するための適切なコマンドとを計算するセットトップボックスにおいて受信される。さらに、状態マシーンはまた、チャネルの変更などの特定のアクションが要求されてもよいことを決定するようにしてもよい。これは、可能なカーソルの動きに加えて、特定のアクションが要求されていることを示すため、同様の座標によるスクリーン上での２回目のタッチ又はダブルタップによって、上述されるように通信されてもよい。その後、ユーザインタフェースは、適切なコマンドを受信し、必要に応じて新たなカーソル位置とメニュー状態とをセットトップボックス状態マシーンに送信する。
【００１８】
図３ｂは、図６ｂにおいて説明及び図示されるようなビューイングタブレット３００の動きに関する一例となるシーケンスを示す。ビューイングタブレット３００内の加速度計などは、矢印６０１，６０２及び６０３，６０４により示される動きを決定する３つの平面Ｘ，Ｙ，Ｚにおける各値を生成する。図３ｂのブロック３７０は、ディスプレイタブレットのユーザの動きに応答した加速度の値の生成を示す。このような動きは、実質的には放射状のものである可能性があることは明らかであるが、この動きは加速度計により検知されるデカルト値Ｘ，Ｙ，Ｚとして決定されてもよい。ブロック３７５において、ディスプレイを回転、ツイスト又はティルトさせることにより得られる加速度値がインタフェース２００に送信される。ブロック３８０において、加速度値は、例えば、ルックアップテーブルなどを用いることによって、特定の制御機能を表すものとして解釈される。解釈は、インタフェース２００、セットトップボックス１００又はこれらの双方において実行されてもよい。しかしながら、トゥー・アンド・フロツイスト又はティルトの軌跡でなく、ディスプレイの回転などを表す特定の加速度値が、表示用の画像を再フォーマット化し、必要に応じてタッチ検知レイアウトをリオーダするため、インタフェース２００内で使用される。トゥー・アンド・フロツイスト又はティルトに類似した加速度値は、チャネルアップ、チャネルダウン、ボリュームアップ又はダウン、ミュートなどの制御機能などを表すものとして解釈されてもよい。ブロック３８０において、解釈された制御機能がアサートされる。効果的には、このようなビューイングタブレットのトゥー・アンド・フロの軌跡は、タッチスクリーンの接触なしにユーザ制御を提供することができる。
【００１９】
図３ａに示される動作シーケンスは、以下の一例となる構成により実現可能である。図２のスクリーン３０１は、図４に示されるようなガイド（ＥＰＧ）の標準的なバージョンにマップされる矩形領域に分割される。この場合、各領域は、番組コンテンツを記述するグリッドガイド部分を表す。図４のセクションＡ０〜Ｅ０はホームエリア（チャネル）を表し、カラムゼロ（０）は現在行われている番組を記述する。しかしながら、このグラフィカル構成は、多数の可能なディスプレイ構成の１つを表す。図４の各矩形は、例えば、左上のコーナーアドレス、高さ及び幅などにより一意的に特定可能である。一例となる実現形態では、オンスクリーンガイドデータは、図５に示されるように、各チャネル（Ａ０〜Ｅ０）が横方向のナビゲーションによる選択によっていくつかの番組を表示する（すなわち、Ｂ０は１〜８を示す）リンクトリストとして格納される。しかしながら、他のチャネルにアクセスするため、リストを上下にナビゲートすることが必要である。従来のグリッドガイドの実現形態では、上下の矢印が番組を選択するのに用いられる。しかしながら、必然的に番組の接合は揃っておらず、すなわち、各自の開始時刻と終了時刻は各チャネル間で異なっており、このため、複数の必要でない番組選択がアップ／ダウン移動コマンドを実現しうる可能性がある。例えば、Ｃ１からＢ行に上方移動するとき、６つの番組Ｂ１〜Ｂ６の何れが選択されるべきか明らかでない。このあいまいさは、ユーザが特定の番組を選択し、その後必要に応じて左右へのカーソルの移動を選択することによって修正される。しかしながら、リモートタッチスクリーン処理によって、このオプションは利用可能でなくなるかもしれない。図５に示されるようなデータ構造を考えると、ユーザインタフェースについての正しいコマンドシーケンスの決定は、シンプルなものである。例えば、図５において、現在のカーソル位置がＡ２であると仮定する。各番組エリア（データ構造）内には、左上隅、高さ、幅などの位置の一意的な識別子がある。第１の解釈方法は、以下のように実行されてもよい。タッチのｙ又は垂直方向の座標が、リモートディスプレイタブレット３００からＳＴＢ１００により受信され、その後、リンクトリストとそれに含まれる座標を介しＡ０〜Ｅ０をシーケンシングすることによって、何れの行が選択されたか判断される。当該行の内部において、ｘ又は水平方向のタッチの座標が、水平方向へのリンクトリストのインクリメントによって、何れの番組エリアが選択されたか判断するのに利用される。リンクトリストに含まれる情報を利用して、必要に応じて、方向コマンドのシーケンスが、コマンドを実現するためユーザインタフェースに送信可能である。この例について、番組Ｅ２がタッチされた場合、４つのダウンコマンドがＡ２からＥ行まで取得するのに利用可能であるが、Ｅ２又はＥ３が選択されるべきか否かは明らかでない。第１の解釈方法のこのあいまいさは、図５のリンクトリストから決定されるような以下のコマンドにより回避される。コマンドＬｅｆｔ，Ｌｅｆｔ，ｌｏｃａｔｅ  ｃｏｌｕｍｎ  ０、コマンドＤｏｗｎ，Ｄｏｗｎ，Ｄｏｗｎ，Ｄｏｗｎは、所望のプログラムＥ０を選択し、Ｒｉｇ��ｔ，Ｒｉｇｈｔは、求められる時間又は番組Ｅ２を選択する。このようにして、スクリーンの正しいエリアがあいまいさの可能性なく、非タッチスクリーンアプリケーションのＳＴＢのユーザインタフェースパラダイムを変更することなく選択される。
【００２０】
図５に示されるリンクトリストデータ構造は、スクリーン自体がコマンドに応答して変化する可能性があるため、各処理後に更新される必要があることに留意することが重要である。例えば、図４のガイドの右側の何れかのボックスの選択は、以降の番組を示すため、ディスプレイを右にページさせ、これにより、データ構造の変更を求める。
【００２１】
図５に関して説明される座標マッピングの一例となるシーケンスは、従来のＩＲリモート制御から発生するコマンドと同様のものであって、セットトップボックスのロジックにより容易に解釈可能なコマンドシーケンスを生じさせるものであってもよい。
【００２２】
図６ａは、１６：９などのアスペクト比を生成する向きによるディスプレイタブレット３００上の画像６００を示す。画像６００は、説明の簡単化のため、３０２ａと３０２ａａなどの破線の矩形の周辺アレイのみを有して示されている。これらの破線の矩形は、タッチセンサ３０２を構成する各検知エリアを表し、これらの検知エリアは実質的にディスプレイ３０１をカバーする。上述されるように、ディスプレイ３００の動きを検知することによって、スクリーンタッチを要求することなく、制御コマンドを発生又は生成することが可能である。さらに、特定の制御機能は、スクリーンタッチの必要性を軽減又は回避するため、ディスプレイの瞬時のトゥー・アンド・フロの前後左右の傾きにより生成することが可能である。
【００２３】
図６ｂは、ディスプレイタブレット３００の可能なユーザの動き又は移動を示す。タブレット３００の移動は、図示されるような３つの平面Ｘ，Ｙ，Ｚにおける動きを決定する加速度計などの装置により決定されてもよい。矢印６０１，６０２により示されるディスプレイの平面におけるタブレットのツイストは、少なくともＸ及びＹの検知平面において発生する加速度値により決定される。矢印６０３，６０４により示される前後の動きは、Ｚ平面又は軸において生成される加速度値により表される。
【００２４】
矢印６０１は、ディスプレイの平面における可能な時計回り方向の回転を示す。明らかに、回転は反時計回りの方向にも可能であり、さらにこのような時計回り及び／又は反時計回りの回転は、セットトップボックス及び／又はインタフェース２００において異なる機能の選択のため制御コマンドを区別するのに認識及び利用されてもよい。
【００２５】
しかしながら、このような空間上の向き変更はまた、特定の制御機能に対して必要とされるタッチの回数を最小限にするため、検知エリア３０２ａなどの特定の位置におけるスクリーンタッチと組み合わされてもよい。例えば、ユーザは、親指で検知エリア３０２ａを覆いながら、左手でディスプレイを握ってもよい。ディスプレイ３００を時計回りに回転すると、ティルトセンサとタッチ座標の双方からの情報が、インタフェース２００とセットトップボックス１００に送信される。インタフェース２００は、セットトップボックスからの画像６００を現在処理しており、さらに電子番組ガイド（ＥＰＧ）を表すデータを取得するようにしてもよい。画像６００とＥＰＧデータは、インタフェース２００内にあるスケーラ回路によりピクチャ・アウト・オブ・ピクチャとしてフォーマット化された一例となる９：１６画像を生成するため、スケーリング及び合成される。このようにして、ディスプレイ２００を備えたリモートビューワは、ディスプレイ１０に接続される信号１０１を妨げることなく、第２の又は他の画像ソースを観察するようにしてもよい。しかしながら、番組ガイド６２０ｂ内で選択が行われた場合、ディスプレイ１０に接続される信号１０１はこれに応じて変更される。
【００２６】
図６ｃにおいて、ディスプレイタブレット３００は、一例となる９：１６の比のディスプレイを生成するため、９０度だけ向き変更される。図６ｃは、異なるサイズを有し、ピクチャ・アウト・オブ・ピクチャフォーマットにより構成される一例となる２つの画像６００ｂ、６２０ｂを示す。ソース画像６００は、画像６００のジオメトリを維持しながら、ディスプレイ幅の範囲内に適した画像６００ｂを生成するため、スケーリング又は縮小される。画像６００の縮小結果は、ディスプレイスクリーンが番組ガイド６２０ｂ、セットトップボックスメニュー、パーソナルピクチャ又は壁紙などの他の画像を表示するのに利用可能なエリアを有するようにしてもよいということである。
【００２７】
図６ｄは、画像６００の高さが図６ａの１６：９のタブレットの向きと同様に維持されるが、画像６００が不完全なピクチャ６００ｄを水平方向に生成してクロッピングされるさらなる画像マッピング選択を示す。この画像選択はさらに、欠落した又はクロッピングされたピクチャコンテンツ６１０ｃを明示するため、矢印６０５ｃにより表される水平方向の画像パンニング（ｐａｎｎｉｎｇ）を可能にするようにしてもよい。画像パンニングは、方向の指の動きによって、又はディスプレイティルトの軌跡によって、実行されてもよい。図６ｃ及び６ｄは、例えば、ディスプレイ３００の回転方向により実現されてもよい。例えば、図６ａのディスプレイ３００が時計回りに回転される場合、図６ｃのフォーマットが生じすることになり、反時計回りの動きは図６ｄのフォーマットを生じさせるようにしてもよい。従って、ディスプレイを回転させることによって、ビューワは、ボタンやタッチスクリーンの接触なく、またディスプレイ１０に提供される画像を妨げることなく、第２の又は補完的な画像を迅速に確認するようにしてもよい。
【００２８】
ビューイングタブレット３００のタッチ及び動きインタフェースが、標準的なセットトップボックスのユーザインタフェースレパートリーと異なる又は存在しない制御機能をリモートビューワに提供することが可能であることが理解されるであろう。さらに、これらの効果的な制御機能は、ビューイングタブレット２００内にあるソフトウェアによって、又は標準的なセットトップボックスに付加される補完的な解釈アルゴリズムによって、適切な標準的セットトップボックスコマンドを利用するため、変換可能である。これら効果的な各種構成は、セットトップボックスのガイド又はメニューがどのように制御されるかに関係なく、すなわち、プッシュボタンスイッチ、リモート制御コマンド、タッチ又は動きコマンドによって、セットトップボックスのユーザインタフェースが実質的に同様に視覚的かつ操作的に維持されることを可能にする。
なお、実施形態に関して付記を記す。
（付記１）  セットトップボックスを制御する方法であって、
前記セットトップボックスが、遠隔にあるタッチ検知スクリーンから座標を受信するステップと、
前記セットトップボックスが、前記セットトップボックスを制御するため、前記座標を解釈するステップと、
前記解釈された座標に従ってアクションを実行するステップと、を有する方法。
（付記２）  前記実行するステップは、前記アクションの結果を前記セットトップボックスから前記タッチ検知スクリーンに通信するステップを含む、付記１記載の方法。
（付記３）  セットトップボックスの制御方法であって、
前記セットトップボックスが、遠隔にあるタッチ検知スクリーンから座標を取得するステップと、
前記セットトップボックスを制御するため、前記座標を解釈するステップと、
前記解釈された座標に従ってカーソル位置を形成するステップと、
前記カーソルに従ってセットトップボックスの機能を起動するステップと、
前記起動されたセットトップボックスの機能を前記遠隔のスクリーンに通信するステップと、を有する方法。
（付記４）  前記形成するステップはさらに、所定の範囲の座標値を占有する座標に従って前記カーソル位置を選択することを含む、付記３記載の方法。
（付記５）  前記形成するステップはさらに、前記カーソル位置に従って機能を選択することを含む、付記３記載の方法。
【符号の説明】
【００２９】
１０  ディスプレイ
１００  セットトップボックス
２００  オーディオビデオインタフェースコンバータ
３００  リモートビューイング装置
【図１】
2015122813.tif 000003
【図２】
2015122813.tif 000004
【図３ａ】
2015122813.tif 000005
【図３ｂ】
2015122813.tif 000006
【図４】
2015122813.tif 000007
【図５】
2015122813.tif 000008
【図６】
2015122813.tif 000009
【外国語明細書】
2015122813000001.pdf